(57)【要約】【課題】電子式フォトフレームにおいて、パーソナルコンピュータを用いること無く、画像を加工し、表示することを可能とする。【解決手段】第一の画像データを取得する取得手段と、ファクシミリ装置と接続するための接続手段と、前記接続手段より入力されたファクシミリ信号を第二の画像データに変換する変換手段と、前記変換手段による第二の画像データから合成に使用する領域を選択する選択手段と、前記取得手段による第一の画像データと前記選択手段による領域の画像データとを合成する合成手段と、前記合成手段による画像データに対して所定の画像信号処理を施して画像信号を生成する画像信号生成手段と、生成した画像信号を表示する画像表示手段と、を有することを特徴とする画像表示装置。【選択図】        図１
2004295033.tif 000002
【特許請求の範囲】
【請求項１】
画像データを表示する画像表示装置において、
第一の画像データを取得する手段と、
ファクシミリ装置と接続するための手段と、
ファクシミリ信号を第二の画像データに変換する手段と、
第二の画像データから合成に使用する領域を選択する手段と、
前記第一の画像データと前記選択による画像データとを合成する手段と、
前記合成した画像データに対して所定の画像信号処理を施して画像信号を生成する手段と、
前記画像信号を表示する手段
を有することを特徴とする画像表示装置。
【請求項２】
上記第一の画像を取得する手段は、
記憶媒体から画像データを読み取る手段であることを特徴とする請求項１記載の画像表示装置。
【請求項３】
上記第一の画像を取得する手段は、
ネットワークを介して画像データを保持するサーバ装置に接続する手段と、
前記サーバ装置から画像データを受信する手段
であることを特徴とする請求項１記載の画像表示装置。
【発明の詳細な説明】
【０００１】
【発明の属する技術分野】
本発明は、ディジタル画像データを表示する電子式写真立て（以下、「電子式フォトフレーム」という）に利用される画像表示装置にに関するものである。
【０００２】
【従来の技術】
以下、画像情報をディジタル化したデータをディジタル画像データ、記憶媒体への記録に適するように圧縮したディジタル画像データを圧縮画像データと記す。また、単に、画像データと言う場合は、ディジタル画像データと圧縮画像データの両者を指す。なお、画像信号とは液晶ディスプレイなどの表示デバイスに表示するのに適した画像情報の形態とする。
【０００３】
従来、ディジタルカメラによる撮影等で作成された画像データを表示し鑑賞する場合、外部記憶媒体経由や各種ケーブルなどで一旦パーソナルコンピュータに画像データを転送し表示する方法や、カメラ本体のビデオ出力を用いてモニタに表示する方法が取られている。
【０００４】
しかしながら、上述の方法では従来の銀塩写真の様に気軽に撮影画像を鑑賞することができなかった。このため、例えば液晶表示装置を用い画像データを表示する電子式フォトフレームが提案され、実用化されている。
【０００５】
下記、特許文献１で提案されている装置は、スタンドアロンで使用する電子式フォトフレームであり、記憶媒体からデータを読み込む手段を備え、ユーザがディジタルカメラ等で撮影し記憶媒体に蓄積した画像データ展開し、を表示する装置である。
【０００６】
下記、特許文献２で提案されている装置も、スタンドアロンで使用する電子式フォトフレームであり、記憶媒体からデータを読み込む手段を備え、記憶媒体内の画像データのほかに、付属のスキャナから画像を読み込み生成した画像データを展開し、表示する装置である。
【０００７】
また、下記、特許文献３で提案されている装置も、スタンドアロンで使用する電子式フォトフレームであり、記憶媒体からデータを読み込む手段を備え、記憶媒体内の圧縮画像データを展開し表示する装置であるが、記憶媒体には圧縮画像データと共に表示方向情報を記録する。画像を表示する際には、表示方向情報を利用することによって、装置自体を縦にしても横にしても特に上下方向を指示しなくても、正しい方向に画像を表示できる装置である。
【０００８】
また、下記、特許文献４で提案されている装置では、画像の表示方向情報にあわせて自動的に表示部が回転する機構を前述の特許文献３に加えた。
【０００９】
また、インターネットの普及を背景に、ネットワークを利用した新しい電子式フォトフレーム（以下、「インターネット式フォトフレーム」という）が提案され、実用に供されようとしている（米ＣＥＩＶＡ  Ｌｏｇｉｃ社、米ＷｅａｖｅＩｎｎｏｖａｔｉｏｎｓ社等）。インターネット式フォトフレームは、登録されている画像データを定期的に受信し、展開し、画像表示装置の液晶ディスプレイ上に表示するものである。
【００１０】
【特許文献１】
特開平９−３０８５５８号公報
【特許文献２】
特開平１０−０８３１４６号公報
【特許文献３】
特開２０００−１４８４４０号公報
【特許文献４】
特開２０００−２９３１１１号公報
【００１１】
【発明が解決しようとする課題】
ところで、画像データを表示する際には、ディジタルカメラ等から得た画像データに、枠を付け加えたり、文字を埋め込んだりの加工を施した画像データを表示したいという要望がある。
【００１２】
記憶媒体から画像データを読み込む従来の手法においては、画像データをパーソナルコンピュータに読み込み、所望の加工を施した後、記憶媒体に書き込み表示することによって、上記要望を満たしていた。
【００１３】
また、インターネット式フォトフレームでは、画像データをサーバ装置に登録する際に、所定のテンプレートを選択することによって、自動的にテンプレートと、登録している画像データとが合成され、合成された画像データを受信し表示することで、上記要望を満たしていた。なお、サーバ装置に画像を登録する際には、ユーザはパーソナルコンピュータを用いてネットワーク経由でサーバ装置に接続する。
【００１４】
いずれの場合においても、表示する画像を加工する際にはパーソナルコンピュータが必要である。このため、パーソナルコンピュータを所有しないがディジタルカメラを所有するユーザや、パーソナルコンピュータを使用することに抵抗のあるユーザにとっては、上記要望を満たすのは困難であった。
【００１５】
本発明はこのような観点からなされたものであって、パーソナルコンピュータを用いること無く、画像を加工し、表示することを、可能とする画像表示装置を提供することを目的とする。
【００１６】
【課題を解決するための手段】
上記目的を達成するため、本発明の画像表示装置は以下の構成を備える。
【００１７】
第一の画像データを取得する取得手段と、
ファクシミリ装置と接続するための接続手段と、
前記接続手段より入力されたファクシミリ信号を第二の画像データに変換する変換手段と、
前記変換手段による第二の画像データから合成に使用する領域を選択する選択手段と、
前記取得手段による第一の画像データと前記選択手段による領域の画像データとを合成する合成手段と、
前記合成手段による画像データに対して所定の画像信号処理を施して画像信号を生成する画像信号生成手段と、
生成した画像信号を表示する画像表示手段とを有することを特徴とする。
【００１８】
上記構成において、
取得手段は、第一の画像データを取得し、当該装置のＲＡＭに格納する。
【００１９】
接続手段は、ファクシミリ装置と接続し通信を可能とするとともに、ファクシミリ信号を受信する。
【００２０】
変換手段は、前記接続手段により入力したファクシミリ信号を第二の画像データに変換し、当該装置のＲＡＭに格納する。
【００２１】
選択手段は、前記変換手段による第二の画像データより合成に使用する領域を選択し、切り出す。
【００２２】
合成手段は、第一の画像データと選択手段による矩形領域の画像データとを合成し、当該装置のＲＡＭに格納する。
【００２３】
画像信号生成手段は、ＲＡＭ内の画像データを表示に適した画像信号に変換する。
【００２４】
画像表示手段は、画像信号をディスプレイに表示する。
【００２５】
さらに好ましくは、
上記取得手段は、記憶媒体から画像データを読みだす手段から構成されることを特徴とする。
【００２６】
上記構成において、
取得手段は、記憶媒体制御部に装着された記憶媒体から所定の画像データを読み出し、当該装置のＲＡＭに格納する。
【００２７】
あるいは、
上記取得手段は、
ネットワークに接続する通信手段と、
所定の条件にしたがってネットワークを介して画像データを受信する画像データ受信手段から構成されることを特徴とする。
【００２８】
上記構成において、
通信手段は、ネットワークを介して画像配信装置と接続する。
【００２９】
画像データ受信手段は、画像サーバ装置より画像データをダウンロードし、当該装置のＲＡＭに画像データを格納する。
【００３０】
上記構成を、改めて以下（１）〜（３）に整理して示す。
【００３１】
（１）画像データを表示する画像表示装置において、
第一の画像データを取得する手段と、
ファクシミリ装置と接続するための手段と、
ファクシミリ信号を第二の画像データに変換する手段と、
第二の画像データから合成に使用する領域を選択する手段と、
前記第一の画像データと前記選択による画像データとを合成する手段と、
前記合成した画像データに対して所定の画像信号処理を施して画像信号を生成する手段と、
前記画像信号を表示する手段
を有することを特徴とする画像表示装置。
【００３２】
（２）上記第一の画像を取得する手段は、
記憶媒体から画像データを読み取る手段であることを特徴とする上記（１）記載の画像表示装置。
【００３３】
（３）上記第一の画像を取得する手段は、
ネットワークを介して画像データを保持するサーバ装置に接続する手段と、
前記サーバ装置から画像データを受信する手段
であることを特徴とする上記（１）記載の画像表示装置。
【００３４】
【発明の実施の形態】
以下に本発明の実施の形態を、実施例に基づいて図面を参照しながら説明する。
【００３５】
【実施例】
（第一の実施例）
以下、本発明による画像表示装置の実施形態について説明する。
【００３６】
図２は本発明に関する画像表示装置の接続例を示す図である。
【００３７】
２０１は本発明に関する画像表示装置である。
【００３８】
２０２は一般的なファクシミリ装置である。
【００３９】
２０３はＰＯＴＳ（Ｐｕｂｌｉｃ  Ｏｌｄ  Ｔｅｌｅｐｈｏｎｅ  Ｓｅｒｖｉｃｅ）網と呼ばれる電話回線網である。ファクシミリ装置２０２はＰＯＴＳ網２０３を介して遠隔地のファクシミリ装置と通信する。
【００４０】
図３及び図４は本実施例に関する画像表示装置の外観を示す図であり、図２は主に前方部を、図３は主に後方部を示している。
【００４１】
３０１は表示部であり、液晶ディスプレイからなり、画像信号を表示する。
【００４２】
３０２はフレームであり、当該フレーム内に各種処理回路が内蔵される。
【００４３】
３０３及び４０１は本表示装置を支持する機構であり、当該機構により、本表示装置は縦置きにも横置きにもすることができる。
【００４４】
４０２はスライドスイッチであり、表示する画像を更新する間隔を指定するために使用される。
【００４５】
４０３は入力コネクタであり、ファクシミリ装置と接続するために使用される。
【００４６】
４０４は出力コネクタであり、外部通信網と接続するために使用される。
【００４７】
４０５は電源コネクタであり、本表示装置に電源を供給するために使用される。
【００４８】
４０６は記憶媒体収納部、及び、操作パネルである。
【００４９】
図５は４０６の拡大図である。
【００５０】
５０１は固定表示ボタンであり、表示画像を更新しない固定表示モードを指示するために使用される。
【００５１】
５０２はスライドショーボタンであり、本表示装置にスライドショーモードを指示するために使用される。スライドショーモードとは、収納されている記憶媒体内の画像データをある一定の順序に従い表示を行うモードである。
【００５２】
５０３はランダムボタンであり、本表示装置にランダムモードを指示するために使用される。ランダムモードとは、収納されている記憶媒体内の画像データをランダムな順序でスライドショー表示を行うモードである。
【００５３】
５０４は次画像選択ボタンである。スライドショー再生モード、ランダム再生モードにおいては、本ボタン５０４を押すことにより、スライドスイッチ４０２で設定した表示間隔を待たずに次の画像に表示を更新する。表示を更新しない固定表示モードにおいては、本ボタン５０４を押すことにより、収納されている記憶媒体から次の画像データを読み込む。
【００５４】
５０５は表示回転ボタンであり、本ボタン５０５を押すと表示画像が９０度回転する。例えば、図２の様に設置されている画像表示装置に、縦長の画像が表示されている場合は、図６で示す様に左右に余白部分６０２、６０３を伴って画像６０１を表示する。ここで、表示回転ボタン５０５を押し画像表示装置を縦置きとすると、図７で示すように表示領域を有効に使用した表示を得ることができる。
【００５５】
５０６は前画像選択ボタンである。現在表示している画像の直前に表示していた画像に表示を更新する。
【００５６】
５０７は合成ボタンであり、このボタン５０７の内部にはＬＥＤが埋め込まれており、発光するようになっている。入力コネクタ４０３に接続されているファクシミリ装置からファクシミリ信号を受信し、画像データを取得すると本ボタン５０７が点灯する。点灯した状態でユーザが本ボタン５０７を押すと表示はファクシミリ装置から入力された画像を表示し、もう一度本ボタン５０７を押すと、表示していた画像とファクシミリ装置から入力された画像を合成し、表示するとともに消灯する。
【００５７】
５０８は合成キャンセルボタンである。合成ボタン５０７が点灯している時点では、本ボタン５０８を押すことにより、合成ボタン５０７は消灯し、ファクシミリ装置から入力された画像は破棄される。また、表示がファクシミリ装置から入力された画像に更新されている場合には、更新以前の元の画像に表示を更新する。
【００５８】
５０９はメモリカードスロットであり、画像データを記録したメモリカードを収納する。
【００５９】
装着するメモリカードは、半導体素子により構成される不揮発記憶媒体によって構成される、いわゆる、ソリッドステートメモリーカートリッジであり、具体的には、コンパクトフラッシュ（登録商標）、スマートメディア（登録商標）、マルチメディアカード（登録商標）、メモリースティック（登録商標）などである。
【００６０】
また、５０９は、磁気ディスク、光磁気ディスク、ＣＤ−ＲＯＭ、ＤＶＤ−ＲＯＭなどを読み取り可能なディスクドライブとしてもよい。
【００６１】
５１０は取り出しボタンであり、メモリカードスロット５０９に収納された記憶媒体の取り出しに使用する。
【００６２】
図１は本実施例に関する画像表示装置２０１のハードウエア構成を示すものである。
【００６３】
１００は本表示装置を示している。
【００６４】
記憶媒体１０１は、本表示装置１００に装着する記憶媒体で、前記のようにソリッドステートメモリーカートリッジなどである。
【００６５】
記憶媒体１０１には、ディジタルカメラ等によって作成された１つ以上の画像情報が画像データとして記憶されている。
【００６６】
記憶媒体制御部１０２は、記憶媒体１０１を装着する部分で、記憶媒体１０１とＲＡＭ１０９の間でデータの転送を行う。
【００６７】
ＣＰＵ（Ｃｅｎｔｒａｌ  Ｐｒｏｃｅｓｓｉｎｇ  Ｕｎｉｔ）１０３は、本表示装置の動作を司るものである。ＣＰＵ１０３は画像表示装置１００全体の制御に加えて、必要な画像処理やプロトコル処理を行うものとする。
【００６８】
操作部１０４は、各種ボタン５０１〜５０８とスライドスイッチ４０２から構成され、ＣＰＵ１０３に操作内容を通知する。
【００６９】
ファクシミリ装置１０５は、入力コネクタ４０３で本装置と接続されるファクシミリ装置２０２で、ユーザはファクシミリ装置２０２から合成する画像を入力する。
【００７０】
通信網１０６は、出力コネクタ４０４により本装置と接続されるＰＯＴＳ網２０３である。すなわち、本装置はファクシミリ装置１０５（２０２）と通信網１０６（２０３）の間に設置される。
【００７１】
通信制御部１０７は、入力コネクタ４０３と出力コネクタ４０４とモデム、ＮＣＵ（Ｎｅｔｗｏｒｋ  Ｃｏｎｔｒｏｌ  Ｕｎｉｔ）等の通信制御ユニットから構成される。ファクシミリ装置２０２から入力コネクタ４０３を介して本装置に送信されたファクシミリ信号は、通信制御部１０７により受信・復号され、ＲＡＭ１０９へ転送される。また、ファクシミリ信号が本装置宛でない場合は、出力コネクタ４０４を介して従来通り通信網へ出力される。
【００７２】
ＲＯＭ（Ｒｅａｄ  Ｏｎｌｙ  Ｍｅｍｏｒｙ）１０８は、ＣＰＵ１０３に必要な命令やデータを格納する。
【００７３】
ＲＡＭ（Ｒａｎｄｏｍ  Ａｃｃｅｓｓ  Ｍｅｍｏｒｙ）１０９は、ＣＰＵ１０３の動作に必要な作業メモリとして使用される。
【００７４】
時計ＩＣ１１０は時計デバイスであり、本表示装置の動作を制御するための日付・時間データを管理する。
【００７５】
ディスプレイ制御部１１１は、フレームバッファと、その制御回路によって構成され、ＣＰＵ１０３によってデコードされた画像データを画像信号に変換するものである。
【００７６】
ディスプレイ１１２は、液晶パネルから構成され、ディスプレイ制御部１１１により生成された画像信号を表示するものである。
【００７７】
１１３は、システムバスである。
【００７８】
次に、本実施例に関する画像表示装置の動作について詳細に説明する。
【００７９】
図８〜図１０は、上記実施例における画像表示装置の動作を示すフローチャートである。
【００８０】
図８は通常の動作状態を表すフローチャートであり、図９は入力コネクタ４０３を介して接続されているファクシミリ装置２０２が送信を開始したときの動作を表している。また、図１０は操作パネル４０６のボタンが押されたときの動作である。
【００８１】
ここでは、画像表示装置の動作に先立ち、当該装置に収納する記憶媒体１０１には予め当該装置のユーザが閲覧する画像データが登録されているものとする。画像データはディジタルカメラやパーソナルコンピュータに接続されたスキャナ等で取り込まれたデータである。
【００８２】
画像表示装置は各種初期化処理の実行後、ステップＳ８０１で記憶媒体１０１の収納状態を確認する。記憶媒体１０１が収納されている場合のみ以下のステップを実行する。
【００８３】
ステップＳ８０２では記憶媒体１０１内の画像データを調査する。記憶媒体１０１内に画像データが存在する場合には以下のステップに移る。
【００８４】
記憶媒体１０１内に１つ以上の画像データが存在する場合には先頭の画像データを選択する（ステップＳ８０３）。ここで言う先頭とは、記憶媒体１０１内からの画像の読み出し順序を基準としており、本実施例における画像の読み出し順序は、画像データに付加されているファイル名の辞書式順序とする。なお、読み出し順序は画像データの作成日時順など他の順序としてもよい。
【００８５】
選択した画像データは記憶媒体制御部１０２から読み出され、ＲＡＭ１０９へ転送される（ステップＳ８０４）。
【００８６】
ＲＡＭへの転送が完了すると、次に画像データを表示する。まず、画像データが圧縮されている場合は、ＣＰＵ１０３により圧縮された画像データを伸長し、表示部１１２で表示するのに適したディジタル画像データとする。同時に、画像サイズがディスプレイ１１２と一致しない場合は場合には、アスペクト比を保持したまま解像度変換処理（縮小または拡大）を行い、必要に応じて余白となる画像部分を付け加える。なお、従来提案されている投影法等の変換方式によって、解像度変換処理される（ステップＳ８０５）。
【００８７】
ステップＳ８０６では、伸長されたディジタル画像データをディスプレイ制御部１１１のフレームバッファに転送して画像信号に変換し、ディスプレイ１１２は画像信号を表示する。
【００８８】
画像データの表示が完了すると、ＣＰＵ１０３は、時計ＩＣ１１０による時間情報を取得し、操作部１０４のスライドスイッチ４０２によって設定された表示間隔以上の時間が経過するのを待つ（ステップＳ８０７）。
【００８９】
十分な時間が経過した後、ステップＳ８０８では本表示装置の設定されている表示モードを調査する。
【００９０】
固定表示モードである場合は、画像を更新する必要がないため、表示モードが変更されるまでステップＳ８０８を繰り返す。
【００９１】
スライドショーモードである場合は、読み出し順序に従い次の画像データを選択して（ステップＳ８０９）、ステップＳ８０４へ戻る。
【００９２】
ランダムモードである場合は、ランダムに次の画像データを選択して（ステップＳ８１０）、ステップＳ８０４へ戻る。
【００９３】
いずれのステップにおいても、取り出しボタン５１０が押された場合にはポイントＰ８１１から処理を再開し、入力コネクタ４０３を介して接続されているファクシミリ装置２０２が送信を開始した場合には図９が示すフローチャートを実行する。
【００９４】
また、ステップＳ８０３〜Ｓ８１０において、操作部１０４のボタン５０１〜５０８が押された場合には、図１０が示すフローチャートを実行する。
【００９５】
図９は、入力コネクタ４０３を介して接続されているファクシミリ装置２０２が送信を開始したときの動作を示すフローチャートである。この処理は、図８のフローチャートとは非同期に実行される、いわゆる、割り込み処理である。
【００９６】
先ず、ファクシミリ装置２０２の発呼を検知すると、現在行っている処理を中断し、現在の実行情報を保存する（ステップＳ９０１）。これは、本フローチャートの実行終了後、中断していた処理を再開するための処理である。
【００９７】
次に、これから送信されるファクシミリ信号の宛先を確認する。当該表示装置宛である場合はステップＳ９０３へ進み、当該表示装置宛でない場合にはステップＳ９０８へ進む（ステップＳ９０２）。
【００９８】
ステップＳ９０３では、ファクシミリ信号を受信・復号し、画像データを取得する。取得した画像データはＲＡＭ１０９に転送する。
【００９９】
全てのファクシミリ信号を受信すると、ファクシミリ装置２０２の通信を終了する（ステップＳ９０４）。
【０１００】
ステップＳ９０５では、圧縮された画像データをＣＰＵ１０３により伸長し、画像処理を行うのに適したディジタル画像データとする。
【０１０１】
ステップＳ９０６では、ディジタル画像データから矩形領域を切り出し、新たな画像データを生成し、ＲＡＭ１０９に格納する。矩形領域の選択手法については後述する。同時に、切り出した画像サイズがディスプレイ１１２と一致しない場合には解像度変換処理（縮小または拡大）を行う。なお、従来提案されている投影法等の変換方式によって、解像度変換処理される。
【０１０２】
矩形領域の切り出しが完了すると、ＣＰＵ１０３は合成ボタン５０７に組み込まれたＬＥＤを点灯し、ユーザにファクシミリ装置２０２から合成するための画像が取得できたことを通知する。
【０１０３】
一方、ステップＳ９０８では、入力コネクタ４０３から入力された信号を出力コネクタ４０４に出力（スルー）することにより、ファクシミリ装置２０２とＰＴＯＳ網２０３の通信を可能とする。
【０１０４】
ステップＳ９０９では、ステップＳ９０１において保存していた実行情報を読み込み、中断していた処理を再開する準備をする。このため、本フローチャート終了後には自動的に中断していた処理の部分から処理を再開する。
【０１０５】
次に、ステップＳ９０６で行う矩形領域の切り出しの手法について述べる。
【０１０６】
ファクシミリ装置２０２から画像表示装置２０１へ画像を送信する際には、図１１の様に白紙にマーク１１０１〜１１０４が印刷されている用紙を用いる。マーク１１０１〜１１０４の印刷位置と形状を事前に例えばＲＯＭ１０８などに記録しておくことで、ステップＳ９０５で得られたディジタル画像データから、合成に使用する矩形領域を選択するのは容易である。また、ファクシミリ装置２０２の紙送り精度の問題で、読み取り後のマーク１１０１〜１１０４の位置が、理想的な状態に対してずれることが考えられるが、その場合はマークの形状を利用してパターンマッチング処理によりディジタル画像データ内でのマークの位置を認識し、切り出す矩形領域を選択する。
【０１０７】
図１０は、図８のステップＳ８０３〜Ｓ８１０において、操作部１０４のボタン５０１〜５０８が押されたときの動作を示すフローチャートである。この処理は、図８のフローチャートとは非同期に実行される、いわゆる、割り込み処理である。
【０１０８】
まず、ボタンが押されたことを検知すると、現在行っている処理を中断し、現在の実行情報を保存する（ステップＳ１００１）。これは、本フローチャートの実行終了後、中断していた処理の再開を可能とするための処理である。
【０１０９】
次に、押されたボタンの種類により、処理内容を選択する（ステップＳ１００２）。
【０１１０】
固定表示ボタン５０１が押された場合には、固定表示モードであると言うことを記憶して、ステップＳ１０１９へ進む（ステップＳ１００３）。
【０１１１】
スライドショーボタン５０２が押された場合には、スライドショーモードであると言うことを記憶して、ステップＳ１０１９へ進む（ステップＳ１００４）。
【０１１２】
ランダムボタン５０３が押された場合には、ランダムモードであると言うことを記憶して、ステップＳ１０１９へ進む（ステップＳ１００５）。
【０１１３】
次画像選択ボタン５０４が押された場合には、次の画像データを選択する（ステップＳ１００６）。ここでの次の画像とは、固定表示モードおよびスライドショーモードでは記憶媒体１０１内からの画像の読み出し順序における次の画像データであり、ランダムモードではランダムに選択して良い。画像データ選択後はポイントＰ１０２０へ進む。
【０１１４】
前画像選択ボタン５０６が押された場合には、現在表示されている画像の直前に表示していた画像を選択する（ステップＳ１００７）。なお、現在表示されている画像が最初の画像の場合は、再び同じ画像を選択する。画像データ選択後はポイントＰ１０２０へ進む。
【０１１５】
表示回転ボタン５０５が押された場合には、ＣＰＵ１０３によりＲＡＭ１０９内に現在表示されている画像を９０度回転させたディジタル画像データを生成する（ステップＳ１００８）。画像データ生成後はポイントＰ１０２１へ進む。
【０１１６】
キャンセルボタン５０８が押された場合の処理は、まず、合成ボタン５０７のＬＥＤが点灯しているか確認する（ステップＳ１００９）。点灯していない場合には、ファクシミリ装置２０２から画像を受信していないことを示し、本ボタン５０８を押すことは無意味であるので、ステップＳ１０１９へ進む。
【０１１７】
一方、点灯していた場合は、ファクシミリ装置２０２から画像を受信し、ステップＳ９０６で切り出した矩形画像がディスプレイ１１２に表示されているか確認する（ステップＳ１０１０）。表示されている場合には、ステップＳ１０１６で退避した直前に表示していた画像を再び表示させた後、ステップＳ１０１２へ進む（ステップＳ１０１１）。
【０１１８】
ステップＳ１０１２では、ＲＡＭ１０９内のＦＡＸから入力された画像データを破棄し、ステップＳ１０１３で合成ボタン５０７のＬＥＤを消灯する。
【０１１９】
合成ボタン５０７が押された場合の処理は、まず、合成ボタン５０７のＬＥＤが点灯しているか確認する（ステップＳ１０１４）。点灯していない場合には、ファクシミリ装置２０２から画像を受信していないことを示し、本ボタン５０７を押すことは無意味であるので、ステップＳ１０１９へ進む。
【０１２０】
一方、点灯していた場合は、ファクシミリ装置２０２から画像を受信し、ステップＳ９０６で切り出した矩形画像がディスプレイ１１２に表示されているか確認する（ステップＳ１０１５）。
【０１２１】
表示されていない場合には、現在表示しているディジタル画像データＲＡＭ１０９に退避した後、ステップＳ９０６で生成した画像データを表示して、ステップＳ１０１９へ進む（ステップＳ１０１６）。
【０１２２】
また、表示されている場合は、ＣＰＵ１０３によりステップＳ９０６で生成した画像データと、直前に表示していた画像の画像データを合成する（ステップＳ１０１７）。合成に際しては、両者のディジタル画像データを１画素づつ比較し、前者の画素が白色以外である場合には、後者の対応する画素を、その画素データで置き換えるようにする。この様にすることで、記憶媒体１０１から読み込んだ画像データの上に、ファックスから読み込んだ画像データを上書きしたようなディジタル画像データを生成することができる。
【０１２３】
合成画像の生成が完了すると、合成ボタンのＬＥＤを消灯し（ステップＳ１０１８）、ポイントＰ１０２２へ進む。
【０１２４】
ステップＳ１０１９では、ステップＳ１００１において保存していた実行情報を読み込み、中断していた処理を再開する準備をする。このため、本フローチャート終了後には自動的に中断していた処理の部分から処理を再開する。
【０１２５】
ポイントＰ１０２０は、図８のポイントＰ８１２に接続している。すなわち、ポイントＰ１０２０の時点で選択している画像をステップＳ８０４で読み出すことになる。
【０１２６】
ポイントＰ１０２１、Ｐ１０２２は、図８のポイントＰ８１３に接続している。すなわち、ポイントＰ１０２１、Ｐ１０２２の時点で生成しているディジタル画像データをステップＳ８０６で表示することになる。
【０１２７】
次に、本実施例の一連の動作を説明する。
【０１２８】
図１２は画像表示装置２０１が、画像を表示している状況を示している。この時点で、ファクシミリ装置２０２が図１３に示す図を読み込み、画像表示装置２０１宛に送信したとする。
【０１２９】
画像表示装置２０１は受信が完了し、受信画像の処理が完了すると、合成ボタン５０７のＬＥＤを点灯させ、ユーザにファクシミリ装置２０２から画像を受信したとことを通知する（ステップＳ９０３〜Ｓ９０７）。
【０１３０】
この時点でユーザが合成ボタン５０７を押すと、表示は図１４の様に変化し、合成する画像を表示する（ステップＳ１０１６）。ここで、ユーザがキャンセルボタン５０８を押すと、表示は図１２へ戻る（ステップＳ１０１１〜ステップＳ１０１３）。
【０１３１】
一方、再び合成ボタン５０７を押すと、合成画像が生成され図１５の表示を得て、合成ボタン５０７のＬＥＤを消灯させる（ステップＳ１０１７〜１０１８）。
【０１３２】
上記実施例によれば、電子式フォトフレームにおいて、パーソナルコンピュータを用いること無く画像を加工し、表示することが可能となる。
【０１３３】
（第二の実施例）
本実施例は第一の実施例との違いについてのみ説明する。
【０１３４】
図１６は本実施例に関する画像表示装置の接続例を表す図である。
【０１３５】
１６０１は本実施例に関する画像表示装置である。
【０１３６】
１６０２は２０２と同様に一般的なファクシミリ装置である。
【０１３７】
１６０３は２０３と同様にＰＯＴＳ網である。
【０１３８】
１６０４は画像配信装置であり、当該配信装置はファイルサーバー機能・ＷＷＷサーバ機能・データベース機能などを有するサーバ装置である。
【０１３９】
１６０５はＷＷＷクライアント機能を有するパーソナルコンピュータであり、画像データを登録したいユーザは当該端末を利用して画像配信装置１６０４と接続される。
【０１４０】
画像表示装置１６０１は、インターネット１６０６を介して画像配信装置１６０４に接続し。登録された画像データを自動的に受信し表示する。
【０１４１】
図１７は本実施例の外観を示す図である。第一の実施例と比較して操作パネル１７０６が異なっている。１７０２〜１７０５に関しては、それぞれ、４０２〜４０５と同じものである。
【０１４２】
図１８は操作パネル１７０１の拡大図である。第一の実施例と比較して、ランダムボタン５０３、メモリカードスロット５０９、取り出しボタン５１０が無い点が異なっている。１８０１、１８０２、１８０４〜１８０８に関しては、それぞれ、５０１、５０２、５０４〜５０８と同じものである。
【０１４３】
図１９は本実施例に関する画像表示装置１６０１のハードウエア構成を示すものである。
【０１４４】
第一の実施例と比較すると、記憶媒体制御部と記憶媒体が無い点が異なっている。また、通信制御部１９０７は第一の実施例の通信制御部１０７の機能に加え、インターネット１９１４と接続するための機能を備える。１９０３〜１９０６、１９０８〜１９１３に関しては、それぞれ、１０３〜１０６、１０８〜１１３と同じものである。
【０１４５】
図２０、２１は、上記実施例における画像表示装置の動作を示すフローチャートである。
【０１４６】
図２０は通常の動作状態を表すフローチャートであり、図２１は操作パネル１７０６のボタンが押されたときの動作である。なお、入力コネクタ１７０３を介して接続されているファクシミリ装置１６０２が送信を開始したときの動作は、図９のフローチャートと同じである。
【０１４７】
ここでは、画像表示装置１６０１の動作に先立ち、サーバ装置１６０４には予め当該表示装置のユーザが閲覧する画像データが登録されているものとする。具体的には遠隔地のユーザがパーソナルコンピュータ１６０５を利用してサーバ装置１６０４に複数の画像データを登録しているものとする。この画像データの登録は例えばパーソナルコンピュータ１６０５上のＷＷＷブラウザソフトウエアを介して行うものであり、画像データはディジタルカメラやパーソナルコンピュータに接続されたスキャナ等で取り込まれたデータである。
【０１４８】
画像表示装置１６０１は各種初期化処理の実行後、ステップＳ２００１で受信スケジュールを判定する。すなわち、ユーザが予め指定したデータ受信時刻を判定し、指定時刻を過ぎている場合、ステップＳ２００２へ進み、サーバ装置１６０４に保持されている画像データの受信を開始する。受信スケジュールは時計ＩＣ１９１０で管理されている時間データと、ＲＯＭ１９０８またはＲＡＭ１９０９上に保持されているスケジュールデータと、スライドスイッチ１７０２が指示する接続間隔情報により管理する。指定時刻に達していない場合は、ステップＳ２００１に戻り、指定時刻を過ぎるまで繰り返す。
【０１４９】
一方、データの受信を開始する場合は、通信制御部１９０７に含まれるモデム（電話網に直接接続されている構成の場合）により、所定のサーバにＰＰＰ（Ｐｏｉｎｔ  ｔｏ  Ｐｏｉｎｔ  Ｐｒｏｔｏｃｏｌ）でダイアルアップ接続する（ステップＳ２００２）。
【０１５０】
接続の完了後、ＨＴＴＰ（Ｈｙｐｅｒ  Ｔｅｘｔ  Ｔｒａｎｓｆｅｒ  Ｐｒｏｔｏｃｏｌ）／ＦＴＰ（Ｆｉｌｅ  Ｔｒａｎｓｆｅｒ  Ｐｒｏｔｏｃｏｌ）等のデータ転送プロトコルに従って、サーバ装置１６０４から画像データを受信する（ステップＳ２００３）。受信したデータはＲＡＭ１９０９へと転送される。
【０１５１】
ステップＳ２００４では、画像データの受信が完了したのを確認し、ＰＰＰ接続を切断する。
【０１５２】
ＲＡＭ１９０９への転送が完了すると、次に画像データを表示する。まず、画像データが圧縮されている場合は、ＣＰＵ１９０３により圧縮された画像データを伸長し、表示部１９１２で表示するのに適したディジタル画像データとする。同時に、画像サイズがディスプレイ１９１２と一致しない場合は場合には、アスペクト比を保持したまま解像度変換処理（縮小または拡大）を行い、必要に応じて余白となる画像部分を付け加える。なお、従来提案されている投影法等の変換方式によって、解像度変換処理される（ステップＳ２００５）。
【０１５３】
ステップＳ２００６では、伸長されたディジタル画像データをディスプレイ制御部１９１１のフレームバッファに転送して画像信号に変換し、ディスプレイ１９１２は画像信号を表示する。
【０１５４】
画像データの表示が完了すると、本表示装置に設定されている表示モードを調査する（ステップＳ２００７）。固定表示モードである場合は、画像を更新する必要がないため、表示モードが変更されるまでステップＳ２００７を繰り返す。
【０１５５】
図２１は、操作部１９０４のボタン１８０１〜１８０８が押されたときの動作を示すフローチャートである。この処理は、図８のフローチャートとは非同期に実行される、いわゆる、割り込み処理である。
【０１５６】
ステップＳ２１０１〜Ｓ２１０４、Ｓ２１０８〜Ｓ２１１９に関しては、それぞれ、ステップＳ１００１〜Ｓ１００４、Ｓ１００９〜Ｓ１０１９と同じである。ただし、ステップＳ２１０８はポイントＰ２１２１へ、ステップＳ２１１８はポイントＰ２１２２へ進む点が異なる。
【０１５７】
次画像選択ボタン１８０４が押された場合は、第一の実施例ではステップＳ１００６を実行したが、本実施例では処理は行わず、ポイントＰ２１２０へ進む。
【０１５８】
ステップＳ２１０７においては、ＲＡＭ１９０９内に現在表示されている画像の直前に表示していた画像の画像データが存在しない場合は、ステップＳ２００２〜Ｓ２００４を実行し必要な画像データを取得する必要がある点が異なる。処理後はポイントＰ２１２１へ進む。
【０１５９】
ポイントＰ２１２０は、図２０のポイントＰ２００８に接続している。すなわち、スケジュール管理をスキップして、スケジュールに関係なくサーバ装置１６０４から画像を取得することになる。
【０１６０】
ポイントＰ２１２１、Ｐ２１２２は、図２０のポイントＰ２００９に接続している。すなわち、ポイントＰ２１２１、Ｐ２１２２の時点で生成しているディジタル画像データをステップＳ２００６で表示することになる。
【０１６１】
上記実施例によれば、インターネット式フォトフレームにおいて、パーソナルコンピュータを用いること無く、画像を加工し、表示することが可能となる。
【０１６２】
【発明の効果】
以上説明したように本発明によれば、ディジタル画像データを表示する電子式写真立てにおいて、パーソナルコンピュータを用いること無く画像を加工し、表示することが可能となるという効果がある。
【図面の簡単な説明】
【図１】本発明の第一の実施例に関する画像表示装置の構成を示す図
【図２】上記実施例に関する接続例を示す図
【図３】本発明の第一〜第二の実施例に関する画像表示装置の外観を示す図
【図４】本発明の第一の実施例に関する画像表示装置の外観を示す図
【図５】上記実施例に関する画像表示装置の操作部を示す図
【図６】上記実施例における表示例を示す図
【図７】上記実施例における表示例を示す図
【図８】本発明の第一の実施例に関する画像表示装置の動作を示すフローチャート
【図９】本発明の第一〜第二の実施例に関する画像表示装置の動作を示すフローチャート
【図１０】本発明の第一の実施例に関する画像表示装置の動作を示すフローチャート
【図１１】上記実施例における画像表示装置に接続されたファクシミリ装置で読み取る紙を示す図
【図１２】上記実施例における表示例を示す図
【図１３】上記実施例における合成する絵の例を示す図
【図１４】上記実施例における合成する絵の表示例を示す図
【図１５】上記実施例における合成された場合の表示例を示す図
【図１６】本発明の第二の実施例に関する接続例を示す図
【図１７】上記実施例に関する画像表示装置の外観を示す図
【図１８】上記実施例に関する画像表示装置の操作部を示す図
【図１９】上記実施例に関する画像表示装置の構成を表す図
【図２０】上記実施例に関する画像表示装置の動作を示すフローチャート
【図２１】上記実施例に関する画像表示装置の動作を示すフローチャート
【符号の説明】
１００  画像表示装置
１０１  記憶媒体
１０２  記憶媒体制御部
１０３  ＣＰＵ
１０４  操作部
１０５  ファクシミリ装置
１０６  通信網
１０７  通信制御部
１０８  ＲＯＭ
１０９  ＲＡＭ
１１０  時計ＩＣ
１１１  ディスプレイ制御部
１１２  表示部
１１３  システムバス
２０１  画像表示装置
２０２  ファクシミリ装置
２０３  ＰＯＴＳ網
３０１  液晶ディスプレイ
３０２  フレーム
３０３、４０１  表示装置の支持機構
４０２  スライドスイッチ
４０３  入力コネクタ
４０４  出力コネクタ
４０５  電源コネクタ
４０６  操作部、及び、記憶媒体装着部
５０１  固定表示ボタン
５０２  スライドショーボタン
５０３  ランダムボタン
５０４  次画像選択ボタン
５０５  表示回転ボタン
５０６  前画像選択ボタン
５０７  合成ボタン
５０８  キャンセルボタン
５０９  メモリカードスロット
５１０  取り出しボタン
【図１】
2004295033.tif 000003
【図２】
2004295033.tif 000004
【図３】
2004295033.tif 000005
【図４】
2004295033.tif 000006
【図５】
2004295033.tif 000007
【図６】
2004295033.tif 000008
【図７】
2004295033.tif 000009
【図８】
2004295033.tif 000010
【図９】
2004295033.tif 000011
【図１０】
2004295033.tif 000012
【図１１】
2004295033.tif 000013
【図１２】
2004295033.tif 000014
【図１３】
2004295033.tif 000015
【図１４】
2004295033.tif 000016
【図１５】
2004295033.tif 000017
【図１６】
2004295033.tif 000018
【図１７】
2004295033.tif 000019
【図１８】
2004295033.tif 000020
【図１９】
2004295033.tif 000021
【図２０】
2004295033.tif 000022
【図２１】
2004295033.tif 000023